(57)【要約】      （修正有）【課題】同一の半導体レーザ光源からシングルモードとマルチモードの切り替え可能なレーザ光源装置、レーザ光源装置、光情報記録装置および光情報再生装置を提供する。【解決手段】半導体レーザと、回折格子とを備えた波長可変型のレーザ光源装置において、前記半導体レーザと前記回折格子との間の光路中に偏光方向変換素子と偏光ビームスプリッタを配置したレーザ光源装置を用いる。【選択図】図２
2008226320.tif 000002
【特許請求の範囲】
【請求項１】
半導体レーザと、
前記半導体レーザから出射される光ビームの偏光を変える偏光変化素子と、
前記偏光変化素子からの光ビームのうち一方の偏光の光ビームは透過させ、他方の偏光の光ビームは反射させるビームスプリッタと、
前記ビームスプリッタからの光ビームを回折する回折格子と、
を有し、
シングルモードとマルチモードのレーザ光を発振する、
レーザ光源装置。
【請求項２】
半導体レーザと、
回折格子と、
を備えた波長可変型のレーザ光源装置において、
前記半導体レーザと前記回折格子との間の光路中に偏光方向変換素子と偏光ビームスプリッタを配置したことを特徴とするレーザ光源装置。
【請求項３】
請求項２記載のレーザ光源装置において、
前記偏光方向変換素子は前記半導体レーザと前記偏光ビームスプリッタとの間の光路中に配置しており、
前記偏光方向変換素子によって前記偏光ビームスプリッタに入射する光ビームの偏光方向を制御することで、
前記回折格子を経由して前記レーザ光源装置を出射する光路と、
前記回折格子を経由せずに前記レーザ光源装置を出射する光路とに切り替え可能であることを特徴とするレーザ光源装置。
【請求項４】
請求項２または３記載のレーザ光源装置において、前記偏光方向変換素子は液晶素子によって構成されていることを特徴とするレーザ光源装置。
【請求項５】
請求項２または３記載のレーザ光源装置において、前記偏光方向変換素子は波長板によって構成されていることを特徴とするレーザ光源装置。
【請求項６】
請求項１乃至５のいずれかに記載のレーザ光源装置と、
前記回折格子を経由して前記レーザ光源装置を出射した光ビームを第１の記録媒体に集光する第１の対物レンズと、
前記回折格子を経由せずに前記レーザ光源装置を出射した光ビームを第２の記録媒体に集光する第２の対物レンズと、
前記レーザ光源装置内の前記半導体レーザの駆動電流に高周波電流を重畳する高周波重畳回路とを備えたことを特徴とする光情報記録装置および光情報再生装置。
【請求項７】
請求項６記載の光情報記録装置および光情報再生装置において、
前記第１の記録媒体に光ビームを集光する際は、前記レーザ光源装置内の前記回折格子を経由して前記レーザ光源装置を出射するシングルモードの光ビームを前記第１の記録媒体に集光し、
前記第２の記録媒体に光ビームを集光する際は、前記レーザ光源装置内の前記回折格子を経由せずに前記レーザ光源装置を出射するマルチモードの光ビームを前記第２の記録媒体に集光することを特徴とする光情報記録装置および光情報再生装置。
【請求項８】
請求項６または７記載の光情報記録装置および光情報再生装置において、該装置は前記レーザ光源装置内の半導体レーザとは異なる第２の半導体レーザを備えており、
前記第２の半導体レーザを出射した光ビームはビームスプリッタによって前記第１の記録媒体に向う光路と前記第２の記録媒体に向う光路とに分離または切り替え可能であり、
前記第２の半導体レーザを出射し前記第１の記録媒体に向う光路を進む光ビームは前記第１の記録媒体に情報を記録または情報を再生する際にサーボ制御用のサーボ信号検出用光ビームとして用いられ、
前記第２の半導体レーザを出射し前記第２の記録媒体に向う光路を進む光ビームは前記第２の記録媒体とは異なるカバー層を有する第３の記録媒体に情報を記録または情報を再生するのに用いられることを特徴とする光情報記録装置および光情報再生装置。
【発明の詳細な説明】
【技術分野】
【０００１】
本発明は、例えばレーザ光源装置、光情報記録装置および光情報再生装置に関する。
【背景技術】
【０００２】
年々大容量化するデジタル情報の再生や記録に対応するため、次世代の高密度光ディスクとして波長４０５ｎｍ帯の青紫色半導体レーザ、開口数（ＮＡ）０．８５の高ＮＡ対物レンズ、カバーガラス厚さ０．１ｍｍのディスク媒体を用いたＢｌｕ−ｒａｙ  Ｄｉｓｃ（ＢＤ）規格や、同じく波長４０５ｎｍ帯の青紫色半導体レーザ、ＮＡ０．６５、カバーガラス厚さ０．６ｍｍのディスク媒体を用いたＨｉｇｈ Ｄｅｆｉｎｉｔｉｏｎ Ｄｉｇｉｔａｌ Ｖｅｒｓａｔｉｌｅ Ｄｉｓｃ（ＨＤ  ＤＶＤ）規格などが提案されている。
【０００３】
ＢＤ規格やＨＤ  ＤＶＤ規格を採用したＡＶ用レコーダやプレーヤ、ならびにＰＣ用光ディスクドライブ等の製品は既にメーカ数社から出荷が始まっており、今後、現行ＤＶＤ製品に置き換わって市場に普及していくものと予測される。
【０００４】
一方、各種研究機関においてはＢＤ規格やＨＤ  ＤＶＤ規格よりも更なる大容量のデジタル情報の記録が可能な次々世代の光情報記録・再生技術に関する研究が行われており、様々な将来技術が提案されている。
【０００５】
様々な将来技術の中でも注目すべき技術として、ホログラフィを利用してデジタル情報を記録するホログラム記録技術がある。
【０００６】
例えば特開平２００６−１１４１８３号公報には、ホログラム記録技術の一端の開示がある。
【０００７】
【特許文献１】特開２００６−１１４１８３号公報
【発明の開示】
【発明が解決しようとする課題】
【０００８】
ホログラム記録技術とは、一般的に参照光と情報を持った信号光とを記録媒体の内部で重ね合わせて、その時に生じる干渉縞パターンを記録媒体に書き込むことで情報を記録する技術であり、特に記録媒体の厚さ方向も利用して３次元的に干渉縞パターンを書き込む体積ホログラム記録技術は、超高密度な情報を記録可能な技術として注目されている。
【０００９】
ホログラム記録技術においては記録媒体の内部に形成される干渉縞パターンを鮮明にする目的から、シングルモード発振の可干渉性の高いレーザ光源が必要となる。ところが比較的安価で小型な半導体レーザは一般的にはスペクトル線幅が広いマルチモード発振であり、またスペクトル線幅の狭いシングルモード発振の半導体レーザであっても、例えば温度等の影響によってマルチモード発振をしてしまう不安定さを持つ。そのためホログラム記録技術におけるレーザ光源としては、高価で大型な固体レーザ等を光源に用いるのが一般的であった。
【００１０】
しかしながらマルチモード発振の可干渉性の低い半導体レーザであっても、反射型の回折格子と組み合わせる事で安定したシングルモード発振を実現し、可干渉性の高いホログラム記録再生用の波長可変型光源を実現できる技術が特許文献１に開示されている。
【００１１】
特許文献１ではＬｉｔｔｒｏｗ型の波長可変型外部共振器を有する光源に関する技術が記載されており、その原理は以下の様に本文献にて記載されている。『レーザダイオードから出射されたレーザビームはコリメータレンズにより平行光になり、反射型の回折格子に照射される。回折格子に反射したビームは０次光と１次光に分離され、１次光は来た光路をそのまま通り、レーザダイオードに戻る。この戻ったレーザビームにより反射型回折格子とレーザダイオードとで共振器が構成され、レーザダイオードは反射型回折格子の格子形状と、反射型回折格子とレーザダイオードとの距離で決まる波長で発振する』。
【００１２】
ところでホログラム記録技術を用いた超高密度の情報を記録・再生可能な光情報記録・再生装置は、ＢＤやＨＤ  ＤＶＤの光ディスクドライブがＤＶＤやＣＤに対応している様に、その上位互換の観点からＢＤやＨＤ  ＤＶＤなどの現行光ディスクの記録・再生にも対応することが望まれる。
【００１３】
また、現行光ディスクとの互換を実現する装置を考える場合は装置の低価格化が重要となるため、ホログラム記録・再生に対応する光学系と現行光ディスクの記録・再生に対応する光学系において、出来るだけ多くの光学部品ならびに電気部品を共有する必要がある。
【００１４】
ここで現行のＢＤドライブやＨＤ  ＤＶＤドライブに搭載されている光ピックアップを構成する部品のうち、半導体レーザは最も高価な部品の一つであるため、レーザ光源を共有できれば、低価格な装置を実現する上で非常に有利となる。しかしながらレーザ光源を共有する事を考えた場合、以下に示す新たな課題が発生する。
【００１５】
前述したように、ホログラム記録技術においてはシングルモード発振の可干渉性の高いレーザ光源が必要となるが、ＢＤやＨＤ  ＤＶＤなどの現行光ディスクのシステムにおいては特に再生時においてレーザノイズを抑える目的から、可干渉性の低いマルチモード発振のレーザ光源が必要となるからである。
【００１６】
上記理由として現行光ディスクのシステムにおいては、光ディスク等からの反射光が半導体レーザに入射した際、半導体内部の共振状態が変化して光出力が変化するいわゆる戻り光によるレーザノイズが問題となるためである。特に高速記録に対応する高出力半導体レーザは、高出力を得るためにレーザ端面の反射率を低くしているため、戻り光もこの端面を介してレーザ内部の共振部に入りやすくなり、レーザノイズが発生しやすくなる。
【００１７】
そこで現行の光ディスクシステムでは、例えば高周波重畳回路によって半導体レーザの駆動電流に高周波電流を重畳している。半導体レーザはレーザ発振の立ち上がり時においてマルチモード発振する特徴を持っているので、レーザ発振を高周波でオン、オフさせることで発振波長のスペクトル線幅を広げ、マルチモード化することで可干渉性を低下し、戻り光の影響を排除した安定な発振を実現している。
【００１８】
以上述べたようにホログラム記録装置と現行光ディスクシステムでは、レーザ光源の可干渉性の観点に関して相反する性質を必要としており、レーザ光源の共用化に関してはこれが重要な課題である。
【００１９】
上記課題に鑑み、同一の半導体レーザ光源を用いつつも、シングルモードとマルチモードの切り替えが可能なレーザ光源装置、ならびに本レーザ光源装置を搭載しＢＤやＨＤ  ＤＶＤなどの現行光ディスクを互換するホログラム記録技術を用いた光情報記録・再生装置を提供できれば望ましい。
【００２０】
特許文献１では、上記課題について一切配慮されていなかった。
【００２１】
本発明は、同一の半導体レーザ光源からシングルモードとマルチモードの切り替え可能なレーザ光源装置、レーザ光源装置、光情報記録装置および光情報再生装置を提供することを目的とする。
【課題を解決するための手段】
【００２２】
上記目的は、その一例として、回折格子と偏光方向変換素子を用いることで達成できる。
【発明の効果】
【００２３】
本発明によれば、同一の半導体レーザ光源からシングルモードとマルチモードの切り替え可能なレーザ光源装置、レーザ光源装置、光情報記録装置および光情報再生装置を提供することが可能となる。
【発明を実施するための最良の形態】
【００２４】
本発明を実施するための実施の形態について、以下説明する。
【実施例１】
【００２５】
図１は本発明におけるレーザ光源装置に関する実施例を示したものである。ここで符号１０５は偏光方向変換素子、符号１０６はＰＢＳプリズムを表している。以下、本レーザ光源装置の動作について図２を用いて詳細に説明する。
【００２６】
図２（ａ）は反射型回折格子１０３を経由せずにレーザ光源装置１内を伝播する動作状態を表しており、図２（ｂ）は反射型回折格子１０３を経由してレーザ光源装置１内を伝播する動作状態を表している。
【００２７】
半導体レーザ１０１から出射した光ビームはコリメートレンズ１０２によって略平行光となって偏光方向変換素子１０５に入射する。なお本実施例においては便宜上、偏光方向変換素子１０５に入射する光ビームの偏光方向は、例えば図中において紙面に平行な直線偏光（以下、Ｐ偏光ともいう）であるとしている。
【００２８】
図２（ａ）に示す伝播状態を実現するため、偏光方向変換素子１０５は、コリメートレンズからの光ビームの偏光方向を図中において紙面に垂直な直線偏光（以下、Ｓ偏光ともいう）に変換し、ＰＢＳプリズム１０６にＳ偏光として入射するように、予め設定される。Ｓ偏光としてＰＢＳプリズム１０６に入射した光ビームはＰＢＳプリズム１０６を反射し、回折格子１０３を経由すること無くレーザ光源装置内を伝播する。
【００２９】
また、図２（ｂ）に示す伝播状態を実現するため、偏光方向変換素子１０５は、コリメートレンズからの光ビームの偏光方向を図中において紙面に平行な直線偏光に変換し、ＰＢＳプリズム１０６にＰ偏光として入射するように、予め設定される。Ｐ偏光としてＰＢＳプリズム１０６に入射した光ビームは、ＰＢＳプリズム１０６を透過し反射型回折格子１０３に入射することで反射型回折格子１０３と半導体レーザ１０１のチップ端面の間が外部共振器として働くため、スペクトル線幅の狭いシングルモードの光ビームがレーザ光源装置１を出射することになる。具体的には、半導体レーザ１０１から出射された光ビームは、コリメートレンズ１０２により平行光になり、偏光方向変換素子１０５を経由し、反射型回折格子１０３に照射される。回折格子に反射したビームは０次光と１次光に分離され、１次光は来た光路をそのまま通り、半導体レーザ１０１に戻る。この戻った光ビームにより反射型回折格子１０３と半導体レーザ１０１とで共振器が構成され、光ビームは、反射型回折格子１０３の格子形状と、反射型回折格子１０３と半導体レーザ１０１との距離で決まる波長で発振する。
【００３０】
このように偏光方向変換素子１０５とＰＢＳプリズム１０６を新たに追加し、偏光方向変換素子１０５を予め所望の設定とすることで、回折格子１０３を経由して伝播するか経由せずに伝播するかを制御することが出来る。回折格子１０３を経由した場合は、レーザ光源装置１を出射する光ビームのスペクトル線幅を狭くすることができる。なお回折格子１０３を経由しない図２（ａ）の場合は、例えば別途設ける高周波重畳回路によって積極的にスペクトル線幅を広げてマルチモードの光ビームを出射するように設定することも出来る。本実施例では、このようにして光ビームの発振状態に関して、シングルモードとマルチモードの切り替えが可能である。
【００３１】
ここで偏光方向変換素子１０５は、入射する光ビームの偏光方向を制御できる素子であればどのような構成でも良く、例えば（１／２）波長板によって構成される素子であっても良い。この場合は（１／２）波長板を回転、または抜き差しする事で出射する光ビームの偏光方向を制御することが出来き、後述する液晶素子を使う場合に比べ、安価な構成となる。また偏光方向変換素子１０５は、液晶素子によって構成される素子であっても良い。液晶素子を駆動する電圧を制御することで、出射する光ビームの偏光方向を制御することが出来き、前述した（１／２）波長板を用いる構成に比べ、装置を小型化できる。
【実施例２】
【００３２】
なおレーザ光源装置内における偏光方向変換素子とＰＢＳプリズムの配置は図２に限定されるわけではなく、本発明の本質を逸脱しない範囲で異なる位置に配置することも可能であり、例えば図３に示す配置としても良い。
【００３３】
図３では半導体レーザ１０１とコリメートレンズ１０２の間の光路中に偏光方向変換素子１０５とＰＢＳプリズム１０７を配置している。図３（ａ）に示すようにレーザ光源装置内において回折格子１０３を経由しない伝播状態と、図３（ｂ）に示すようにレーザ光源装置内において回折格子１０３を経由する伝播状態との切り替えは図２で説明した原理と同様のため省略するが、図３に示すような配置とすることで、本実施例では図２に比べてＰＢＳプリズムの形状を小さくすることが可能となる。
【００３４】
以上述べたように例えば実施例１または実施例２を用いることによって、出射する光ビームの発振状態に関して、シングルモードとマルチモードの切り替えが可能となるレーザ光源装置を実現することが出来る。
【実施例３】
【００３５】
図４は本実施例における光情報記録装置ならびに光情報再生装置に関する概略図を示したものである。図４において符号１００は例えば現行光ディスクの代表としてＢｌｕ−ｒａｙ  Ｄｉｓｃを示しており、符号２００はホログラム記録に対応した記録媒体を示している。
【００３６】
図中の符号１は、例えば実施例１にて示した構成のレーザ光源装置であり、レーザ光源装置１内に配置した偏光方向変換素子によって、前述したようにレーザ光源装置１内の伝播の光路を切り替えることが出来る。
【００３７】
また図２に示すように、回折格子１０３を経由したシングルモードの光ビームの偏光方向と回折格子１０３を経由せずにレーザ光源装置を出射した光ビームの偏光方向は互いに直交しているため、例えば図４に示すようにレーザ光源装置１の直後にＰＢＳプリズム３を配置することで、図４（ａ）に示すように現行光ディスク１００に向かう光路と、図４（ｂ）に示すようにホログラム記録に対応した記録媒体２００に向かう光路を簡単に切り替える事が可能である。
【００３８】
なお図４に示すように高周波重畳回路５０を別途設けて、回折格子１０３を経由せずにレーザ光源装置を出射する光ビームのスペクトル線幅を十分に広げることも可能である。
【００３９】
このような構成とすることで、レーザ光源を共有しているにも関わらず、特に再生時においてレーザノイズを抑える必要がある現行光ディスク１００のシステムにおいてはスペクトル線幅の広がったマルチモードの光ビームを用いることが出来、ホログラム記録時において記録媒体の内部に形成される干渉縞パターンを鮮明にする必要があるホログラム光学系においてはシングルモードの光ビームを用いることが可能となる。
【００４０】
ここで図５は、図４において説明した光情報記録装置ならびに光情報再生装置のをより具体的に示したものである。図中の符号５００は例えばＢＤなどの現行光ディスク１００に対応した光学系を示しており、符号６００はホログラム記録に対応した光学系を示している。
【００４１】
本実施例は、光学系５００と光学系６００において、レーザ光源装置１を共有していることを特徴としている。また本実施例は半導体レーザの駆動電流に高周波電流を重畳する高周波重畳回路を備えているので、用途に応じて高周波重畳を行うことで半導体レーザから出射される光ビームのスペクトル線幅を十分に広くする事が可能となる。
【００４２】
例えばＢＤを再生する場合は、高周波重畳回路を作動させてレーザ光源装置１内の半導体レーザの発振モードをマルチモード化させる。またレーザ光源装置１内の偏光方向変換素子は、半導体レーザを出射した光ビームがレーザ光源装置１内の回折格子を経由せずにマルチモードの光ビームがレーザ光源装置１を出射するように偏光方向を制御する。
【００４３】
レーザ光源装置１を出射したマルチモードの光ビームは、３ビーム生成用の回折格子２によって３本の光ビームに回折分離したのち、ＰＢＳプリズム３に入射する。図２（ａ）に示すようにレーザ光源装置１内の回折格子１０３を経由せずに出射する光ビームの偏光方向は、図中において紙面に垂直な直線偏光であるため、Ｓ偏光としてＰＢＳプリズム３に入射する。
【００４４】
ＰＢＳプリズム３を反射した光ビームは凹レンズ４ａと凸レンズ４ｂとで構成されるビームエキスパンダ４を透過し、（１／４）波長板５によって円偏光となり、対物レンズ６によって光ディスク１００に集光する。
【００４５】
光ディスク１００を反射した光ビームは往路と同じ光路を逆方向に伝播し、対物レンズ６、（１／４）波長板５、ビームエキスパンダ４を透過した後にＰＢＳプリズム３にＰ偏光として入射する。
【００４６】
ＰＢＳプリズム３を透過した光ビームはコリメートレンズ７によって収束光となり、検出レンズ８によって非点収差方式によるフォーカス誤差信号を検出できるような非点収差を付加され、光検出器９に集光する構成となっている。
【００４７】
次にホログラム記録を行う場合は高周波重畳回路の動作を止め、半導体レーザを出射した光ビームがレーザ光源装置１内の回折格子を経由してシングルモードの光ビームが出射するように、偏光方向変換素子を予め設定する。
レーザ光源装置１を出射したシングルモードの光ビームは３ビーム用の回折格子２を透過し、ＰＢＳプリズム３に入射する。ここで図２（ｂ）に示すようにレーザ光源装置１内の回折格子を経由して出射する光ビームの偏光方向は、図中において紙面に平行な直線偏光であるため、レーザ光源装置１を出射したシングルモードの光ビームは、Ｐ偏光として３ビーム用の回折格子２とＰＢＳプリズム３に入射する。ホログラム記録を行う場合は、必ずしも回折格子２において回折分離させる必要はないので、例えば回折格子２は偏光回折格子としてＰ偏光は回折分離しないようにしても良い。
【００４８】
ＰＢＳプリズム３を透過した光ビームは、例えば（１／２）波長板などで構成される光学素子３０によってＰ偏光とＳ偏光の光量比が記録時ならびに再生時において所望の比になるように偏光方向を制御された後、ＰＢＳプリズム１０に入射する。例えば再生時は信号光ビームを必要としないため、ＰＢＳプリズム３を透過した光ビームの偏光方向を光学素子３０によって変更し、Ｐ偏光よりもＳ偏光の光量を大きくする事によって参照光ビームを効率良くホログラム記録媒体２００に照射する事ができる。
【００４９】
ＰＢＳプリズム１０にはＰ偏光とＳ偏光が所望の光量比で入射するが、ＰＢＳプリズム３を透過した光ビームはレンズ１１ａとレンズ１１ｂで構成されるビームエキスパンダ１１によって光ビーム経が拡大され、ＰＢＳプリズム１２、（１／４）波長板１３を経由して空間光変調器１４に入射する。
【００５０】
空間光変調器１４によって情報を付加された信号光ビームは（１／４）波長板１３を経由してＰＢＳプリズム１２を反射し、レンズ１６ａとレンズ１６ｂで構成されるリレーレンズ１６ならびに空間フィルタ１７を伝播する。リレーレンズ１６を透過した信号光ビームは、波長板１８を透過し対物レンズ１９によってホログラム記録媒体２００に集光する。
【００５１】
一方、ＰＢＳプリズム１０を反射した光ビームは参照光ビームとして働き、ガルバノミラー１５ａならびにガルバノミラー１５ｂの角度を制御することで、ホログラム記録媒体２００に対して所望の位置と角度で入射させることが可能である。
【００５２】
このようにして信号光ビームと参照光ビームが記録媒体２００内において重ね合わさり、その時に生じる干渉縞パターンを記録媒体に書き込むことで情報を記録する事ができる。
【００５３】
本実施例のような構成とすることで、レーザ光源装置を共有でき、ＢＤなどの現行光ディスクを互換するホログラム記録・再生装置を実現することが可能となる。
【実施例４】
【００５４】
なお、本実施例におけるホログラム記録・再生装置の構成は図５に限定されるわけでなく、図６に示すようにホログラム記録に対応した光学系６００は、信号光と参照光が同軸系の光学系であっても良い。
【００５５】
ホログラム記録を行う場合の光ビームの伝播に関して簡単に説明すると、レーザ光源装置１を出射したシングルモードの光ビームは反射ミラー２１を反射したのち、空間光変調器１４によって参照光ビームと情報を付加された信号光ビームとに分離され、ＰＢＳプリズム２２を透過する。
ＰＢＳプリズム２２を透過した光ビームは、レンズ２３ａとレンズ２３ｂによって構成されるリレーレンズ２３を透過し、（１／４）波長板を透過した後に対物レンズ１９によって記録媒体２００に集光する。
【００５６】
このようにして信号光ビームと参照光ビームが同軸で記録媒体２００に入射し、記録媒体２００内において両者が重ね合わさって生じる干渉縞パターンを記録媒体に書き込むことで情報を記録する事ができる。
【００５７】
なお、本実施例においてＢＤを再生する場合は実施例３で述べたのと同様のため、省略する。
【００５８】
本実施例のような構成とすることで、実施例３と同様、レーザ光源装置を共有でき、ＢＤなどの現行光ディスクを互換するホログラム記録・再生装置を実現することが可能となる。
【実施例５】
【００５９】
本実施例におけるホログラム記録・再生装置の構成は、図７または図８に示すようにレーザ光源装置１内の半導体レーザに加えて別の半導体レーザ３０１を備えても良い。このように別光源を備える事で、該光源を出射する光ビームは例えばホログラム記録媒体２００にホログラムを記録または再生する際のホログラム記録位置または再生位置制御、またはホログラム記録媒体２００の傾き制御のためのサーボ信号検出用光ビームとして用いる事が出来る。さらに半導体レーザ３０１を出射し、光ディスク１００に向う光ビームは例えばＤＶＤ等（第３の記録媒体とも言う）を記録・再生するための光ビームとして用いる事が出来る。
【００６０】
本実施例のような構成に依れば、コンパクトで多様なディスクに対応できる装置を実現できる。
【００６１】
なお、本実施例は、ＢＤ用半導体レーザとＤＶＤ等用の半導体レーザが別であることを前提としたが、もちろん実施例４以前の実施例においてＢＤ，ＤＶＤ等を一つの半導体レーザで記録・再生することを妨げるものではない。
【図面の簡単な説明】
【００６２】
【図１】レーザ光源装置に関する実施例を表す図
【図２】レーザ光源装置内の光ビームの伝播状態を表す図
【図３】レーザ光源装置内の光ビームの伝播状態を表す図
【図４】光情報記録装置ならびに光情報再生装置を表す図
【図５】光情報記録装置ならびに光情報再生装置を表す図
【図６】光情報記録装置ならびに光情報再生装置を表す図
【図７】光情報記録装置ならびに光情報再生装置を表す図
【図８】光情報記録装置ならびに光情報再生装置を表す図
【符号の説明】
【００６３】
１・・・レーザ光源装置、２・・・回折格子、３・・・ＰＢＳプリズム、
４ａ・・・凹レンズ、４ｂ・・・凸レンズ、４・・・ビームエキスパンダ、
５・・・（１／４）波長板、６・・・対物レンズ、７・・・コリメートレンズ、
８・・・検出レンズ、９・・・光検出器、１０・・・ＰＢＳプリズム、
１１ａ・・・レンズ、１１ｂ・・・レンズ、１１・・・ビームエキスパンダ、
１２・・・ＰＢＳプリズム、１３・・・（１／４）波長板、
１４・・・空間光変調器、１５ａ，１５ｂ，１５ｃ・・・ガルバノミラー、
１６ａ・・・レンズ、１６ｂ・・・レンズ、１６・・・リレーレンズ、
１７・・・空間フィルタ、１８・・・波長板、１９・・・対物レンズ、
２０・・・カメラ、２１・・・反射ミラー、２２・・・ＰＢＳプリズム、
２３ａ・・・レンズ、２３ｂ・・・レンズ、２３・・・リレーレンズ、
２４・・・（１／４）波長板
３０・・・光学素子、５０・・・高周波重畳回路、１００・・・光ディスク、
１０１・・・半導体レーザ、１０２・・・コリメートレンズ、１０３・・・回折格子、
１０４・・・反射ミラー、１０５・・・偏光方向変換素子、１０６・・・ＰＢＳプリズム、
１０７・・・ＰＢＳプリズム、２００・・・ホログラム記録媒体、
３０１・・・レーザ光源、３０２・・・回折格子、３０３・・・コリメートレンズ、
３０４・・・ビームスプリッタ、３０５・・・ビームスプリッタ、
３０６・・・波長板、３０７・・・対物レンズ、
５００・・・現行光ディスクに対応する光学系、
６００・・・ホログラム記録光学系に対応する光学系、
１０００・・・レーザ光源装置
【図１】
2008226320.tif 000003
【図２】
2008226320.tif 000004
【図３】
2008226320.tif 000005
【図４】
2008226320.tif 000006
【図５】
2008226320.tif 000007
【図６】
2008226320.tif 000008
【図７】
2008226320.tif 000009
【図８】
2008226320.tif 000010